(57)【要約】【課題】着座者の太ももの後側に圧迫感や不快感を与えず、座り心地の良好な座構造を提供する。【解決手段】座枠１の上面にネット部材３を張設した椅子の座構造において、座枠１を、枠状の剛質な外周部２と、前部の外周部２の内側縁２ｅから内方に向けて水平方向に延設したクッション材支持部１０とにより形成し、前記クッション材支持部上に左右方向を向く肉厚のクッション材８を固着するとともに、クッション材８の上面８ａを外周部２の上面２ａよりも上方に突出させ、かつクッション材８と外周部２の両者の上面に、ネット部材３を張設する。【選択図】        図５
2005034290.tif 000002
【特許請求の範囲】
【請求項１】
座枠の上面にネット部材を張設した椅子の座構造において、座枠を、枠状の剛質な外周部と、前部の外周部の内側縁から内方に向けて、水平方向に延設したクッション材支持部とにより形成し、前記クッション材支持部上に左右方向を向く肉厚のクッション材を固着するとともに、クッション材の上面を外周部の上面よりも上方に突出させ、かつクッション材と外周部の両者の上面にネット部材を張設したことを特徴とする椅子の座構造。
【請求項２】
前記クッション材支持部を、外周部の上面より低位置において、水平方向に延設させたことを特徴とする請求項１記載の椅子の座構造。
【請求項３】
前記クッション材支持部を、肉薄とし、上下方向に弾性変形可能としたことを特徴とする請求項１または２記載の椅子の座構造。
【請求項４】
前記クッション材支持部を、その後縁から前方を向く複数の切込みスリットを設け、隣接する切込みスリット間に、弾性的に下傾しうる可撓性舌片を形成したことを特徴とする請求項３記載の椅子の座構造。
【請求項５】
前記複数の可撓性舌片のうち、左右方向の中央に位置するものほど、他の可撓性舌片よりも漸次長さの大きいものとしたことを特徴とする請求項４記載の椅子の座構造。
【請求項６】
前記切込みスリットの奥端に、切込みが進行するのを防止するための停止孔を設けたことを特徴とする請求項４または５記載の椅子の座構造。
【発明の詳細な説明】
【０００１】
【発明の属する技術分野】
本発明は、座枠にネット部材を張設した椅子の座構造に関する。
【０００２】
【従来の技術】
座枠に、高張力のプラスチック材等よりなる弾性変形可能なネット部材または多孔性シート部材（以下、本明細書においては、多孔性シート部材を含めて「ネット部材」と称する）の周縁部を取付けた椅子の座構造は公知である。
前記座枠は、一般に剛質であって、通常、ほぼ角形断面をなし、ネット部材の周縁部を支持する上面は、概ね平坦である。
ネット部材の周縁部は、座枠の上面全体にわたって当接重合されており、ネット部材に着座者の荷重が掛かると、ネット部材は撓んで、座枠の上面およびその内周角部に強く当接する。
そのため、剛質の上面およびその内周角部が着座者の太ももの後側に強く当り、圧迫感とともに、不快感を与える。
特に、ネット部材の周辺部が、十分な張力をもって均一に止着されていない場合は、ネット部材の前記撓みが大きく、着座者の前記圧迫感と不快感が増大する。
【０００３】
これに対処して、本願出願人は、座枠のうち、着座者の太ももの後側が当接する上面後方に弾性変形する張出片を設けるとともに、座枠の下側に締付枠を取付け、この締付枠をもってネット部材に大きな張力をもたせることにより、前記圧迫感等を減少させる発明を行った（特許文献１，２，３）。
一方、座枠の上面の一部にクッション材を埋設した椅子も提案されている（特許文献４）。
【０００４】
【特許文献１】
特願２００２−２１３４５０（請求項１参照）
【特許文献２】
特願２００２−２１３４５１（図４，図５参照）
【特許文献３】
特願２００２−２８１５５２（請求項１、図７参照）
【特許文献４】
特表平８−５０７９３５（ＦＩＧ．３３参照）
【０００５】
【発明が解決しようとする課題】
前記特許文献４に記載されるものは、クッション材を使用しているため、前記圧迫感等がある程度は緩和されるものの、座枠が本質的に弾性変形に乏しいため、未だ、十分には満足しうるものではない。
本発明は、本願出願人が前記特許文献１，２，３において提案した発明の改良に係るものであり、着座者が背凭れを後方に傾斜させた場合、あるいは前屈みの姿勢をとった場合などにおいても、太ももの後側に、可及的に圧迫感や不快感を与えず、座り心地が良好である椅子の座構造を提供することを目的とする。
【０００６】
【課題を解決するための手段】
本発明によると、上記課題は、次のようにして解決される。
（１）  座枠の上面にネット部材を張設した椅子の座構造において、座枠を、枠状の剛質な外周部と、前部の外周部の内側縁から内方に向けて、水平方向に延設したクッション材支持部とにより形成し、前記クッション材支持部上に左右方向を向く肉厚のクッション材を固着するとともに、クッション材の上面を外周部の上面よりも上方に突出させ、かつクッション材と外周部の両者の上面にネット部材を張設した椅子の座構造とする。
【０００７】
（２）  上記（１）項において、前記クッション材支持部を、外周部の上面より低位置において、水平方向に延設させる。
【０００８】
（３）  上記（１）項または（２）項において、前記クッション材支持部を、肉薄とし、上下方向に弾性変形可能とする。
【０００９】
（４）  上記（３）項において、前記クッション材支持部を、その後縁から前方を向く複数の切込みスリットを設け、隣接する切込みスリット間に、弾性的に下傾しうる可撓性舌片を形成する。
【００１０】
（５）  上記（４）項において、前記複数の可撓性舌片のうち、左右方向の中央に位置するものほど、他の可撓性舌片よりも漸次長さの大きいものとする。
【００１１】
（６）  上記（４）項または（５）項において、前記切込みスリットの奥端に、切込みが進行するのを防止するための停止孔を設ける。
【００１２】
【発明の実施の形態】
図１は、本発明の一実施形態の座構造を備える椅子（Ａ）の側面図である。
図２は、図１における座（Ｂ）の下方斜視図、図３は、同じく分解斜視図である。
【００１３】
座（Ｂ）は、閉結構造とした方形枠状の座枠（１）の外周部（２）の上面（２ａ）に、高張力プラスチック等のネット部材（３）の周縁部（３ａ）を重合した後、この周縁部（３ａ）を下方へ折り曲げて、座枠（１）の外周部（２）の上面（２ａ）および外側面（２ｂ）に重合し、さらに外周部（２）の下面（２ｃ）に沿って内方へ折り曲げ、この内向折曲げ部の下面に、座枠（１）とほぼ同様な閉結構造の方形枠状をなす締付枠（４）を重合し、締付枠（４）の各所に穿設した通孔（５）の下方より挿入したボルト（６）を、座枠（１）の下面（２ｃ）における対応箇所に穿設したねじ孔（７）へ螺合することにより、ネット部材（３）の内向折返し部を、座枠（１）の下面（２ｃ）に止着して形成されている。
【００１４】
座枠（１）の前部（２ｄ）の上面には、クッション材（８）が設けられるとともに、後記するように、ネット部材（３）に充分な張力をもたせるために、ネット部材（３）の周縁部（３ａ）と座枠（１）の外側面（２ｂ）間には、縁材（９）が圧入される。
【００１５】
図４は、枠材（１）とクッション材（８）の上方分解斜視図、図５は、図２におけるＶ〜Ｖ線拡大縦断面図である。
【００１６】
本発明における座枠（１）は、硬質プラスチックもしくは適宜の金属から形成され、肉厚の剛質に形成された方形枠状の外周部（２）と、前部（２ｄ）の外周部（２）の内側縁（２ｅ）から内方に向けて、外周部（２）の上面（２ａ）より低位置において、水平方向に延設された肉薄のクッション材支持部（１０）とよりなる。
【００１７】
前記クッション材支持部（１０）には、その後縁から前方を向く複数の切込みスリット（１１）が設けられ、隣接する切込みスリット（１１）（１１）間には、弾性的に下傾しうる可撓性舌片（１２）が形成されている。
【００１８】
可撓性舌片（１２）の可撓性を所望のものとするために、その厚さを、先端方向へ向かって、漸次小とすることもある。なお、切込みスリット（１１）の奥端には、切込みの進行を防止するために、その幅より大径の円状の停止孔（１３）を設けてある。
【００１９】
各可撓性舌片（１２）の先端は、図５に示すように、クッション材（８）が移動して落下するのを防止するため、上方に折り曲げられて落下防止片（１４）が形成され、その先端には、補強のため膨出部（１５）が付設されている。
【００２０】
前記可撓性舌片（１２）は、着座者の荷重が掛かる左右方向の中央に位置するものほど、漸次長さの大きいものとし、弾性変形によるクッション作用の均衡をとってある。
【００２１】
切込みスリット（１１）の代わりに、断面Ｖ状の多数の溝を設けて、その間を可撓性舌片としてもよい。さらに、可撓性舌片（１２）の可撓性を所望のものとするために、その適所に、側方向その他の方向を向く肉薄部や波曲を付しておいてもよい。
【００２２】
クッション材支持部（１０）上には、ポリウレタンなどからなる左右方向を向く肉厚のクッション材（８）が固着され、このクッション材（８）の上面（８ａ）を座枠（１）の外周部（２）における上面（２ａ）よりも上方に突出させることによって、着座者の太ももの後側に外周部（２）の上面（２ａ）などが強く当り、圧迫感を与えることのないようにしてある。
【００２３】
ネット部材（３）の周縁部（３ａ）は、座枠（１）の外周部（２）における下面（２ｃ）と、締付枠（４）の上面との間に、次のようにして挾支保持されている。
【００２４】
図５に示すように、座枠（１）の外周部（２）は、剛質の肉厚部となっており、この外周部（２）の下面（２ｃ）には、内側から、ねじ孔（７）、係止用環状溝（１６）および締付用環状溝（１７）が設けられている。
【００２５】
他方、締付枠（４）の上面には、内側から、通孔（５）、上向きの食い込み突条（１８）、および座枠（１）における外周部（２）の外側面（２ｂ）に重合しうる上向きの保護フランジ（１９）が設けられている。
【００２６】
一方、ネット部材（３）の周縁部（３ａ）には、可撓性の縁材（２０）が取付けられており、この縁材（２０）を座枠（１）の係止用環状溝（１６）内に押し込み、次いで締付枠（４）を、この締付枠（４）における食い込み突条（１８）が、座枠（１）の締付用環状溝（１７）内に食い込むようにして座枠（１）と締付枠（４）とを嵌合させ、下方からボルト（２１）を通孔（５）を挿通させて、ねじ孔（７）に締付ける。そうすると、ネット部材（３）の周縁部（３ａ）は、前記食い込み突条（１８）によって係止用環状溝（１６）内に押し込まれるとともに、前記保護フランジ（１９）と、座枠（１）における外周部（２）の外側面（２ｂ）との両者によっても強く挾持され、ネット部材（３）の周縁部（３ａ）が、十分な張力をもって均一に止着され、座枠（１）の上面に強固に張設される。
【００２７】
さらに引き続いて、縁材（９）を、図５において矢印Ｔで示すように、ネット部材（３）と座枠（１）間における内方から、座枠（１）における外周部（２）の外側面（２ｂ）と当接する位置まで押し込むことにより、ネット部材（３）を一層強固に張設することができる。
【００２８】
【発明の効果】
本発明によると、次の効果が奏せられる。
（１）  請求項１記載の発明によれば、肉厚のクッション材の上面を、外周部の上面より上方に突出させてクッション材支持部に固着してあるため、着座者が背凭れを後方に傾斜させた場合、あるいは前屈みの姿勢をとった場合などにおいても、太ももの後側に圧迫感や不快感を与えず、座り心地が良好である。
【００２９】
（２）  請求項２記載の発明によれば、クッション材支持部を、外周部の上面より低位置において水平方向に延設させてあるため、クッション材を大幅に肉厚にすることができ、（１）項に記載した効果が一層良好に奏せられる。
【００３０】
（３）  請求項３記載の発明によれば、クッション材支持部の弾性変形とクッション材のクッション作用との両者が相俟って、（１）項に記載した効果が一段と良好に奏せられる。
【００３１】
（４）  請求項４記載の発明によれば、クッション材支持部を、簡単な構造でもって、弾性変形可能とすることができる。
【００３２】
（５）  請求項５記載の発明によれば、着座者の荷重が掛かり易い左右中央を、前後方向に亘って広く、かつ均一に弾性変形させることができ、（１）項に記載した効果が効率的に奏せられる。
【００３３】
（６）  請求項６記載の発明によれば、切込みスリットの切込みの進行が防止され、耐久性に優れるとともに、良好な弾性変形をすることができるクッション材支持部が得られる。
【図面の簡単な説明】
【図１】本発明の一実施形態の座構造を備える椅子の側面図である。
【図２】図１に示す椅子の座構造の下方斜視図である。
【図３】図２に示す椅子の座構造の下方分解斜視図である。
【図４】図３に示す椅子の座構造における枠材とクッション材の上方分解斜視図である。
【図５】図２におけるＶ〜Ｖ線拡大縦断面図である。
【符号の説明】
（１）座枠
（２）外周部
（２ａ）上面
（２ｂ）外側面
（２ｃ）下面
（２ｄ）前部
（２ｅ）内側縁
（３）ネット部材
（３ａ）周縁部
（４）締付枠
（５）通孔
（６）ボルト
（７）ねじ孔
（８）クッション材
（９）縁材
（１０）クッション材支持部
（１１）切込みスリット
（１２）可撓性舌片
（１３）停止孔
（１４）落下防止片
（１５）膨出部
（１６）係止用環状溝
（１７）締付用環状溝
（１８）食い込み突条
（１９）保護フランジ
（２０）縁材
（２１）ボルト
【図１】
2005034290.tif 000003
【図２】
2005034290.tif 000004
【図３】
2005034290.tif 000005
【図４】
2005034290.tif 000006
【図５】
2005034290.tif 000007